【事件の表示】
　特願２００２−５７４７６１「ネコの体重増加を制限するための炭水化物源の使用」拒絶査定不服審判事件〔平成１４年１０月　３日国際公開、ＷＯ０２／７６２３５、平成１６年　７月２２日国内公表、特表２００４−５２１６３２〕について、次のとおり審決する。
【結　論】
　本件審判の請求は、成り立たない。
【理　由】
１．手続の経緯・本願発明
　本願は、２００２年３月２７日（パリ条約による優先権主張２００１年３月２７日、米国）を国際出願日とする出願であって、その請求項１ないし３７に係る発明は、平成１８年１１月１６日付け手続補正書により補正された明細書の特許請求の範囲の請求項１ないし３７に記載された事項により特定されるとおりのものと認められ、そのうち請求項１に係る発明は次のとおりのものである。
「【請求項１】
　タンパク質源、脂肪源並びに米以外でかつトウモロコシ、モロコシ、大麦、オート麦及びこれらのブレンド物より成る群から選択される穀物源からの炭水化物源を含んでなるペットフード組成物をネコに与える工程を含む、ネコの体重増加を制限するための方法。」（以下、「本願発明」という。）
　
２．刊行物の記載事項
（１）原査定の拒絶の理由に引用された、本願優先日前に頒布された刊行物であるＷＯ　０１／０３６９１（以下、「刊行物１」という。）には、図面とともに次の事項が記載されている（［　］内は記載事項の概要）。
(1a)「BACKGROUND OF THE INVENTION
　The present invention relates to a nutritional composition for 
body weight management, and more particularly to such a composition 
which contains a combination of ingredients which achieve weight 
loss in a mammal in need of treatment.」（１頁２〜６行）
［発明の背景 
　この発明は体重を管理するための栄養組成物、特に哺乳動物の減量を達成する成分の組み合わせに関するものである。］ 
(1b)「In humans,dogs,and cats,current nutritional recommendations 
often include the recommendation to consume a high fiber diet or 
foodstuffs that are high in dietary fiber.However,high fiber diets 
for dogs and cats are often associated with several undesirable 
side effects including decreased palatability of food,increased 
stool volume,increased defecation frequency,poor skin and hair,
improper mineral balance,and decreased food digestibility.」(１頁１７〜２４行)
［人間、犬および猫では、栄養上、繊維含量の高い食餌あるいは、繊維を多く含む食事が、しばしば推奨されている。 
　しかしながら、犬と猫のための繊維の高い食餌は、しばしば、食欲の減退、便の量の増加、排便頻度の増加、貧弱な皮膚および髪の毛、ミネラルバランスの異常、食物消化率の減少を含む望ましくない影響に関係している。］
(1c)「The present invention meets that need by providing a 
composition which,when fed to an obese or overweight mammal, assists that mammal in losing weight and maintaining the weight loss.」（２頁６〜８行）
［この発明は、肥大しているか重量超過の哺乳動物に供給された時、その哺乳動物の減量または減量を維持することを助ける組成物を提供するものである。］
(1d) The source of carborhydrates preferably comprises a low 
glycemic index grain selected from the group consisting of sorghum, 
barley, corn, and blends thereof.
　The composition also preferably includes from about 18 to 40 wt% 
crude protein, from about 4 to 30 wt% fat,and from about 2 to 20 
wt% total fiber.
　The composition may be used as a method of promoting weight loss 
in a mammal in which the mammal is fed a composition containing 
effective amounts of a combination of at least  three nutrients 
selected from the group consisting of L-calnitine, chromium, Vitamin A, and a source of carbohydrates selected from a low glycemic index grain.」（２頁２５行〜３頁２行）
［モロコシ（ソルガム）、大麦、トウモロコシおよびそれらのブレンド物から成るグループから選ばれた穀物は、比較的低い血糖指数を示す炭水化物源を含む。 
　この組成物は、さらに約18〜40wt%の粗タンパク質、約4〜30wt%の脂肪、および約2〜20wt%の総繊維質を含む。 
　この組成物は、哺乳動物の体重の減少を促進する方法として使用されてもよい。その場合、哺乳動物に、少なくとも、Lカルニチン、クロミウム、ビタミンＡから成るグループから選ばれた３つの栄養素を有効な量含み、低血糖指数を示す炭水化物を含んでいる組成物を与える。］
(1e)「The present invention provides a multi-nutrient approach for 
losing weight by addressing the multiple causes for obesity. 
L-carnitine and/or esters thereof, are included in the composition 
to provide a means to burn fatty acids. Chromium is provided to 
improve insulin sensitivity in the mammal which aids the body in 
storing blood glucose more effectively. Vitamin A is present to 
reduce leptin levels. Leptin is a hormone that is elevated in 
mammals that are obese. By reducing leptin, Vitamin A helps to 
restore the individual to a more normal hormonal status. Reducing 
starch levels and/or selecting sources of carbohydrates/starches 
having low glycemic indices improves glucose metabolism of the 
individual. Improved glucose metabolism results in fewer abrupt 
rises and drops in blood glucose levels. As a result, the individual feels satiated more often, consumes less food, and loses weight.
　Accordingly, it is a feature of the present invention to provide a composition which, when fed to an obese or overweight mammal, 
assists that mammal in losing weight and maintaining the weight loss. 」（３頁１０〜２３行）
［この発明は、体重の減少に結びつく多数の原因にアプローチする多数の栄養素を提供する。L-カルニチンおよび(または)それのエステルは、脂肪酸を燃焼させる手段を提供するために組成物に含まれる。クロミウムは、哺乳動物のインシュリン感度を改善するために提供され、それにより、身体が血糖（グルコース）をより効果的に貯蔵させる。ビタミンＡはレプチンのレベルを減少させる。レプチンは、肥満している哺乳動物の中で増加するホルモンである。レプチンを減少させることによって、ビタミンＡは、個体のホルモンを正常に戻す支援をする。澱粉レベルの減少および(または) 低い血糖指数の炭水化物源又は澱粉の選択により、個体のグルコース代謝が改善される。
　改善されたグルコース代謝より、血糖レベルの急な上昇や低下が起こりにくくなる。その結果、個体はより頻繁に飽食感を感じ、食物の消費が少なくなり、体重が減少する。 
　従って、この発明の特徴は、肥大しているか体重が重すぎる哺乳動物に供給された時、その哺乳動物の体重の減少および減量の維持を支援する組成物を提供することである。］
(1f)「Example 1
　Twenty adult female Beagle dogs were used to evaluate the effects of a multi-nutrient approach to weight loss. Fresh water was 
provided ad libitum during the entire study. Food was provided ad 
libitum during both the weight gain and weight loss phases of the 
study.
　The study consisted of two periods: weight gain and weight loss. 
During the 10-week weight gain period, all dogs were fed a high-
protein, high fat diet・・・Chicken and Rice Performance Formula 
(about 35% protein,23% fat, and 2% crude fiber). At the initiation 
of the weight loss pedod, the dogs were stratified by body weight, 
percent body fat, and blood glucose and then randomly assigned to 2 dietary treatment groups of 10 dogs each. Group A dogs were fed a traditional, high fiber diet ・・・ (diet A) and Group B dogs were fed a diet formulated in accordance with the present invention ・・・ (diet B) ad libitum.」（６頁２６行〜７頁８行）
［例１
　雌のビーグル犬２０が、複数の栄養素が減量に及ぼす結果を評価するために使用された。
　新鮮な水は全研究期間、不断に供給された。 
　食餌は、体重増加期間及び体重減少期間の両方とも、期間中不断給餌された。 
　研究は体重増加および減量の２つの期間からなる。１０週間の体重増加期間中、犬はすべて高蛋白、高脂肪食（鶏肉と米完全食（約35%のタンパク質、23%脂肪、2%粗繊維)）を与えられた。減量期間の開始時に、犬は、体重、体脂肪率および血糖によって階層化され、その後ランダムに、１０匹ずつの２つの食事療法グループに割り当てられた。Ａグループは従来の高繊維質の食餌(食事Ａ)を、Ｂグループはこの発明に従った食餌(食事Ｂ)を、不断給餌された。］
(1g)Table 1には、食餌Ａ、食餌Ｂは、それぞれタンパク質、脂肪、灰分、粗繊維並びにカルニチンを含むことが記載されている（７頁１１〜２４行）。
(1h)「Diet B also contained amounts of chromium(chromium 
tripicolinate)and a blend of sorgum and barley as the carbohydrate 
source in accoudance with the present invention.」（７頁２５〜２７行）
［食餌Ｂは、さらに、この発明に従って、クロミウム及びモロコシと大麦のブレンドを炭水化物源として含有している。］
(1i)「Results
　Under ad libitum feeding conditions, dogs fed diet A and diet B 
lost a similar amount of body weight as shown in Fig. 1.However, 
dogs fed diet B lost more body fat than dogs fed diet A. Dogs fed diet B also tended to accumulate lean body mass while dogs fed diet A maintained lean body mass (see Fig. 3).
　Dogs fed diet B also had a numerically more favorable insulin 
sensitivity than dogs fed diet A (see Fig. 4).Dogs fed diet B also had a more optimal glucose effectiveness than dogs fed Diet A (see 
Fig. 5).
　These results indicate that the multi-nutrient composition of the present invention provides a more preferable weight loss compared to a traditional high fiber diet.」（８頁１７行〜２７行）
［結果
　不断給餌条件の下では、食餌Ａを給餌された犬と食餌Bを給餌された犬は図1に示されるように同様の量の体重が減少した。しかし、食餌Ｂを給餌された犬は、食餌Ａを給餌された犬より多く体重が減少した。食餌Ｂを給餌された犬は、さらに、食餌Ａを給餌された犬が減少した体重を維持したのに対し、体重の減少が蓄積する傾向があった(図３参照)。
　食餌Ｂを給餌された犬は、さらに食餌Ａを給餌された犬より、量的に好ましいインシュリン感度を有していた(図４参照)。食餌Ｂを給餌された犬は、食餌Ａを給餌された犬より適したグルコース有効性を有していた(図５参照)。
　これらの結果は、本発明の複数栄養素組成物が従来の高繊維質の食事と比較して、より望ましい減量を提供することを示している。］
(1j)「CLAIMS
1. A composition for promoting weight loss in a mammal comprising 
effective amounts of at least three nutrients selected from the 
group consisting of L-carnitine, chromium, Vitamin A, and a source 
of carbohydrates selected from a low glycemic index grain.」（１０頁２〜５行）
［特許請求の範囲
１．少なくとも、Lカルニチン、クロミウム、ビタミンＡから成るグループから選ばれた３つの栄養素を有効な量、及び低い血糖指数の穀物から選ばれた炭水化物を含む哺乳動物の減量を促進するための組成物。］
　
　刊行物１の特許請求の範囲には、哺乳動物の体重増加を制限するための方法として、タンパク質源、脂肪源並びにトウモロコシ、モロコシ、大麦及びこれらのブレンド物より成る群から選択される低血糖指数の穀物源からの炭水化物源を含み、さらに、Ｌ−カルニチン、クロミウム、ビタミンＡの３つグループの栄養素を少なくとも含んでなる食餌組成物を哺乳動物に与えることが記載されている。
　しかし、刊行物１には、従来から、繊維含量の高い食餌あるいは繊維を多く含む食事が肥満解消のため用いられていたことを前提に、さらに糞便の状態の改善、ミネラルバランスの改善等を目的としてＬ−カルニチン、クロミウム、ビタミンＡの３つグループの栄養素と低血糖指数の穀物源とを組み合わせたものであることが示されており（記載事項(1b)）、さらに、トウモロコシ、モロコシ、大麦及びこれらのブレンド物より成る群から選択される低血糖指数の穀物源により、グルコース代謝が改善され、その結果、食物の消費が少なくなり、体重が減少する作用を奏することが記載されており（記載事項(1e)）、トウモロコシ、モロコシ、大麦及びこれらのブレンド物より成る群から選択される低血糖指数の穀物源自体に、哺乳動物の体重増加を制限する作用があることが示されている。
　
　そうすると、刊行物１には次の発明が記載されていると認められる。
「タンパク質源、脂肪源並びに米以外でかつトウモロコシ、モロコシ、大麦、及びこれらのブレンド物より成る群から選択される穀物源からの炭水化物源を含んでなる組成物を哺乳動物に与える工程を含む、哺乳動物の体重増加を制限するための方法。」
　
３．対比、判断
　本願発明と刊行物１記載の発明を対比すると、本願発明は、発明の対象が「ネコ」であり、「炭水化物源を含んでなる組成物」が、「ペットフード組成物」であるのに対し、刊行物１記載の発明は、発明の対象が「哺乳動物」であってネコに限定されておらず、したがって「炭水化物源を含んでなる組成物」も「ペットフード組成物」に限定されていない。また、刊行物１の具体例には、ビーグル犬を使用した実験が記載されているものの、ネコについての具体例は記載されていない。
　しかし、刊行物１記載の発明の目的として、ヒト、イヌ及びネコの肥満の解消が挙げられており（記載事項(1a)）、具体例として記載されているイヌは実施の一例であって、刊行物１記載の発明の「哺乳動物」として、ネコが認識されていることは明らかであり、ネコにおいてもイヌと同様の作用効果が奏されることが示唆されている。そして、ネコの食餌は、本願発明の「ペットフード組成物」に相当する。
　そうすると、刊行物１には、タンパク質源、脂肪源並びにトウモロコシ、モロコシ、大麦及びこれらのブレンド物より成る群から選択される穀物源からの炭水化物源を含むペットフード組成物を与えることにより、ネコの体重増加を制限する方法が実質的に示されている。
　したがって、本願発明は、刊行物１に記載された発明である。
　
４．むすび 
　以上のとおり、本願発明は、刊行物１に記載された発明であるから、特許法第２９条第１項第３号に該当し特許を受けることができないものであり、他の請求項に係る発明について検討するまでもなく、本願は、拒絶されるべきものである。 
　よって、結論のとおり審決する。